(57)【要約】【課題】バッテリの電流を分配する機能を有した構造とすることにより、部品点数の削減及び金型の種類の削減を可能としたバッテリカバーを提供する。【解決手段】バッテリ２，３の上面に対向するカバー本体５と、カバー本体えに埋設されてバッテリからの供給電流を分配する分岐回路体６と、バッテリ２のプラス電極２３と分岐回路体６とを接続し分岐回路体６に電流を供給する入力電線７と、負荷側と接続されてバッテリ２からの電流を負荷側へ供給する出力端子部８と、分岐回路体６と出力端子部８との間に設けられて過電流により負荷側とバッテリ側とを遮断する可溶体部９とを有する。【選択図】図３
2011258487.tif 000002
【特許請求の範囲】
【請求項１】
バッテリの上面を被覆して保護するバッテリカバーであって、
前記バッテリの上面に対向するカバー本体と、このカバー本体に埋設されてバッテリからの供給電流を分配する分岐回路体と、前記バッテリのプラス電極と前記分岐回路体とを接続し前記分岐回路体に電流を供給する入力電線と、負荷側と接続されて前記バッテリからの電流を負荷側へ供給する出力端子部と、前記分岐回路体と前記出力端子部との間に設けられて過電流により負荷側とバッテリ側とを遮断する可溶体部とを有することを特徴とするバッテリカバー。
【請求項２】
請求項１記載のバッテリカバーであって、
前記可溶体部は、前記分岐回路体と接続する回路体側端子と、前記出力端子部と接続する負荷側端子と、これらの回路体側端子と負荷側端子との間に設けられた可溶部とからなることを特徴とするバッテリカバー。
【請求項３】
請求項２記載のバッテリカバーであって、
前記回路体側端子、前記負荷側端子及び前記可溶部が前記分岐回路体と一体に形成され、該分岐回路体と共に前記回路体側端子、前記負荷側端子及び前記可溶部が前記カバー本体に埋設されていることを特徴とするバッテリカバー。
【請求項４】
請求項２又は３記載のバッテリカバーであって、
前記可溶部が過電流により溶断する可溶電線からなることを特徴とするバッテリカバー。
【発明の詳細な説明】
【技術分野】
【０００１】
本発明は、車載のバッテリの上面を覆ってバッテリを保護するバッテリカバーに関する。
【背景技術】
【０００２】
図２０は、車載のバッテリの電流を車両の負荷に分配供給するためのヒューズボックスをバッテリに取り付ける構造を示す（特許文献１参照）。
【０００３】
ヒューズボックス１００は、箱形状のボックス本体１２０と、蓋体１３０とを有しており、これらが樹脂によって形成されている。ボックス本体１２０内には、バッテリ１１０のバッテリポスト１４０に接続されるターミナル１５０を始めとした各種の電気部品１６０が配置されている。ボックス本体１２０をバッテリ１１０に取り付けるため、ボックス本体１２０には、フック爪１７０が下方に突出しており、このフック爪１７０がバッテリ１１０の蓋部１１０ａの縁部分に係合するようになっている。蓋体１３０はボックス本体１２０の上面を閉じるものであり、ボックス本体１２０に対して開閉可能に取り付けられる。
【０００４】
トラック等の車両においては、バッテリ１１０が車外に設置されるため、水や埃等の環境からバッテリ１１０及びヒューズボックス１００を保護する必要がある。このため、ヒューズボックス１００の上部にカバー（図示省略）を被せてヒューズボックス１００を含むバッテリ１１０の全体を覆うようになっている。
【先行技術文献】
【特許文献】
【０００５】
【特許文献１】ＥＰ１３３２９２４Ａ１公報
【発明の概要】
【発明が解決しようとする課題】
【０００６】
図２０の構造では、バッテリ１１０の電流を分配するためのヒューズボックス１００及びヒューズボックス１００を保護するカバーがバッテリ１１０に対して配置される。このため、ヒューズボックス１００のボックス本体１２０及び蓋体１３０と、ヒューズボックス１００を覆うカバーの３部品が必要であり、部品点数が多くなっている。しかも、これらの部品が樹脂によって成形されるため、それぞれの部品を成形するための金型が必要となっており、金型の種類も多くなっている。
【０００７】
本発明は、このような従来の問題点を考慮してなされたものであり、バッテリの電流を分配する機能を有した構造とすることにより、部品点数の削減及び金型の種類の削減を可能としたバッテリカバーを提供することを目的とする。
【課題を解決するための手段】
【０００８】
上記目的を達成するため、請求項１記載の発明は、バッテリの上面を被覆して保護するバッテリカバーであって、前記バッテリの上面に対向するカバー本体と、このカバー本体に埋設されてバッテリからの供給電流を分配する分岐回路体と、前記バッテリのプラス電極と前記分岐回路体とを接続し前記分岐回路体に電流を供給する入力電線と、負荷側と接続されて前記バッテリからの電流を負荷側へ供給する出力端子部と、前記分岐回路体と前記出力端子部との間に設けられて過電流により負荷側とバッテリ側とを遮断する可溶体部とを有することを特徴とする。
【０００９】
請求項２記載の発明は、請求項１記載のバッテリカバーであって、前記可溶体部は、前記分岐回路体と接続する回路体側端子と、前記出力端子部と接続する負荷側端子と、これらの回路体側端子と負荷側端子との間に設けられた可溶部とからなることを特徴とする。
【００１０】
請求項３記載の発明は、請求項２記載のバッテリカバーであって、前記回路体側端子、前記負荷側端子及び前記可溶部が前記分岐回路体と一体に形成され、該分岐回路体と共に前記回路体側端子、前記負荷側端子及び前記可溶部が前記カバー本体に埋設されていることを特徴とする。
【００１１】
請求項４記載の発明は、請求項２又は３記載のバッテリカバーであって、前記可溶部が過電流により溶断する可溶電線からなることを特徴とする。
【発明の効果】
【００１２】
請求項１記載の発明によれば、カバー本体がバッテリの上面を覆うことにより、バッテリカバーがバッテリを水、埃等の環境から保護する。このバッテリカバーにおいては、バッテリからの供給電流を分配する分岐回路体がカバー本体に埋設されているため、バッテリの電流を分配供給するためのヒューズボックスやヒューズユニットをバッテリに接続する必要がなくなる。
【００１３】
このようなバッテリカバーは、バッテリ電流の分配機能及びバッテリの保護機能を有しているため、バッテリに取り付ける部品点数を少なくすることができる。又、部品点数が少なくなるため、バッテリに取り付ける部品を成形するための金型の種類を削減することができる。
【００１４】
請求項２記載の発明によれば、請求項１記載の発明の効果を有するのに加えて、過電流によって負荷側とバッテリ側とを遮断する可溶体部が、回路体側端子と負荷側端子と可溶部とによって形成されるため、バッテリと負荷との間を電気的に接続すると共に負荷を過電流から保護することができる。
【００１５】
請求項３記載の発明によれば、請求項２記載の発明の効果を有するのに加えて、可溶体部が分岐回路体と一体となっており、しかも可溶体部及び分岐回路体がカバー本体に埋設されているため、電気的接続のための部品点数を少なくすることができ、電気的な接続作業が簡単となる。又、バッテリと負荷との電気的な接続をカバー本体への取り扱いだけで可能であり、作業性が向上する。
【００１６】
請求項４記載の発明によれば、請求項２及び３記載の発明の効果に加えて、可溶部が可溶電線によって形成されるため、可溶部の取り換えが簡単となる。
【図面の簡単な説明】
【００１７】
【図１】本発明の第１実施形態のバッテリカバーとバッテリとの関係を示す斜視図である。
【図２】図１におけるＭ部拡大斜視図である。
【図３】バッテリ及び負荷との接続を示すバッテリカバーの底面からの斜視図である。
【図４】バッテリカバーの底面からの斜視図である。
【図５】（ａ）、（ｂ）は、接続用ボルトを示す図である。
【図６】分岐回路体の正面図である。
【図７】分岐回路体への接続状態を示す正面図である。
【図８】第１実施形態のバッテリカバーをバッテリに取り付けた状態の平面図である。
【図９】図８の正面図である。
【図１０】図８の側面図である。
【図１１】本発明の第２実施形態のバッテリカバーとバッテリとの関係を示す斜視図である。
【図１２】図１１におけるＮ部拡大斜視図である。
【図１３】バッテリ及び負荷との接続を示すバッテリカバーの底面からの斜視図である。
【図１４】第２実施形態の分岐回路体を示す斜視図である。
【図１５】第２実施形態の可溶体部を示す斜視図である。
【図１６】第２実施形態のバッテリカバーをバッテリに取り付けた状態の斜視図である。
【図１７】図１６の平面図である。
【図１８】図１６の正面図である。
【図１９】図１６の側面図である。
【図２０】特許文献１に記載された従来の構造を示す斜視図である。
【発明を実施するための形態】
【００１８】
以下、本発明を図示する実施形態により具体的に説明する。なお、各実施形態において、同一の部材には同一の符号を付して対応させてある。
【００１９】
［第１実施形態］
図１〜図１０は、本発明の第１実施形態を示し、図１は、バッテリカバーとバッテリとの関係を示す斜視図、図２は図１におけるＭ部拡大斜視図、図３はバッテリ及び負荷との接続を示すバッテリカバーの底面からの斜視図、図４はバッテリカバーの底面からの斜視図、図５はバッテリカバーに用いられる接続用ボルトの正面図、図６は分岐回路体の正面図、図７は分岐回路体への接続状態を示す正面図、図８はバッテリカバーをバッテリに取り付けた状態の平面図、図９は図８の正面図、図１０は図８の側面図である。
【００２０】
この実施形態のバッテリカバー１は、図１に示すように、２つのバッテリ２，３を覆う大きさのカバー本体５を有している。カバー本体５は樹脂によって成形されており、２つのバッテリ２，３を合わせた大きさとなった矩形板状の覆い板部５ａと、覆い板部５ａの４辺から垂下した４つの周壁部５ｂとによって形成されている。
【００２１】
バッテリカバー１は、カバー本体５に加えて、分岐回路体６と、入力電線７と、図２等で示すように、２つの出力端子部８と、可溶体部９とを備えている。
【００２２】
図６に示すように、分岐回路体６は、可溶体部９と一体に形成されており、分岐回路体６及び可溶体部９とによりバスバー１０が構成されている。バスバー１０は、カバー本体５に埋設されるものであり、バスバー１０を金型内にインサートした状態で樹脂を射出することによりカバー本体５が成形される。
【００２３】
バスバー１０を構成する分岐回路体６は、入力電線７側に接続される入力側回路部１１と、負荷側に接続される２つの出力側回路部１２とを有している。
【００２４】
バスバー１０を構成する可溶体部９は、入力側回路部１１と、２つの出力側回路部１２とを接続するようにこれらの間に設けられている。それぞれの可溶体部９は、入力側回路部１１と接続される回路体側端子１３と、出力側回路部１２を介して出力端子部８と接続される負荷側端子１４と、回路体側端子１３及び負荷側端子１４の間に設けられた可溶部１５とを有している。バッテリ２から入力電線７を介して過電流が分岐回路体６に流れると可溶部１５が溶断する。これにより、バッテリ２側と車両の負荷側とが遮断され、車両の負荷を保護することができる。
【００２５】
カバー本体５に埋設された分岐回路体６における入力側回路部１１及び２つの出力側回路部１２のそれぞれにはボルト孔１６、１７、１８が形成されている。このボルト孔１６、１７、１８に対し、図５に示す接続用ボルト１９を圧入することにより分岐回路体６への電流の入力及び電流の出力が可能となっている。
【００２６】
図２等で示すように、分岐回路体６のボルト孔１６、１７、１８と対応した覆い板部５ａの底面には、ワッシャ状となっている入力端子部２０及び２つの出力端子部８が取り付けられている。接続用ボルト１９は、分岐回路体６の３つのボルト孔１６、１７、１８に圧入された後、入力端子部２０及び２つの出力端子部８を貫通する。これにより、分岐回路体６の入力側回路部１１と入力端子部２０とが電気的に接続され、分岐回路体６の出力側回路部１２と出力端子部８とが電気的に接続される。
【００２７】
入力電線７は、覆い板部５ａの底面の入力端子部２０に接続用ボルト１９を介して接続され、負荷側からの出力電線２１（図３参照）は、出力端子部８に接続用ボルト１９を介して接続される。これらの接続においては、接続用ボルト１９にナット２２（図５参照）を螺合することにより行われる。
【００２８】
入力電線７は、一方のバッテリ２からポスト状となって突出しているプラス電極２３（図１参照）に一端が接続され、他端が分岐回路体６に接続される。入力電線７の他端を分岐回路体６に接続するため、入力電線７の他端には図７に示すように、端子部７ａが設けられている。この端子部７ａは接続用ボルト１９を介して分岐回路体６と接続される。すなわち、分岐回路体６の入力側回路部１１のボルト孔１６を貫通した接続用ボルト１９を端子部７ａに貫通させることにより、入力電線７と分岐回路体６の入力側回路部１１とが電気的に接続されるものである（図２及び図７参照）。
【００２９】
負荷側からの出力電線２１の端末には、図７に示すように、端子部２１ａが形成されており、この端子部２１ａが接続用ボルト１９を介して分岐回路体６の出力側回路部１２と接続される。すなわち、分岐回路体６の出力側回路部１２のボルト孔１７、１８を貫通した接続用ボルト１９を端子部２１ａに貫通させることにより接続が行われるものである（図２及び図７参照）。
【００３０】
次に、この実施形態のバッテリカバー１をバッテリ２と電気的に接続する操作を説明する。
【００３１】
図４に示すように、カバー本体５の覆い板部５ａの底面には、分岐回路体６の入力側回路部１１及び２つの出力側回路部１２に圧入された接続用ボルト１９が抜き出ている。それぞれの接続用ボルト１９は、入力端子部２０及び２つの出力端子部８を貫通した状態となっている。
【００３２】
分岐回路体６と車両の負荷との電気的な接続は、図２、図３、図７及び図８に示すように、負荷からの出力電線２１の端末に形成された端子部２１ａに対し、２つの出力端子部８を貫通している接続用ボルト１９を貫通させ、接続用ボルト１９にナット２２を螺合することにより行うことができる。
【００３３】
分岐回路体６とバッテリ２との電気的な接続は、図２、図３、図７及び図８に示すように、バッテリ２のプラス電極２３に接続された入力電線７の端子部７ａに対し、入力端子部２０を貫通している接続用ボルト１９を貫通させ、接続用ボルト１９にナット２２を螺合することにより行うことができる。
【００３４】
このような第１実施形態では、カバー本体５がバッテリ２，３の上面を覆うことにより、バッテリカバー１がバッテリ２，３を水、埃等の環境から保護することができる。又、バッテリ２からの供給電流を分配する分岐回路体６がカバー本体５に埋設されているため、バッテリ２の電流を分配供給するためのヒューズボックスやヒューズユニットをバッテリに接続する必要がない。このようなバッテリカバー１は、バッテリ電流の分配機能及びバッテリ２，３の保護機能を有しているため、バッテリ２，３に取り付ける部品点数を少なくすることができる。又、部品点数が少なくなるため、バッテリ２，３に取り付ける部品を成形するための金型の種類を削減することができる。
【００３５】
さらに、可溶体部９が過電流によって溶断する可溶部１５を有しているため、負荷を過電流から保護することができる。
【００３６】
又、可溶体部９が分岐回路体６と一体となっており、しかも可溶体部９及び分岐回路体６がカバー本体５に埋設されるため、電気的接続のための部品点数を少なくすることができ、電気的な接続作業が簡単となる。又、バッテリ２と負荷との電気的な接続をカバー本体５への取り扱いだけで可能であり、作業性が向上する。
【００３７】
［第２実施形態］
図１１〜図１９は、本発明の第２実施形態を示し、図１１はバッテリカバーとバッテリとの関係を示す斜視図、図１２は図１１におけるＮ部拡大斜視図、図１３はバッテリ及び負荷との接続を示すバッテリカバーの底面からの斜視図、図１４はこの実施形態の分岐回路体の斜視図、図１５はこの実施形態に用いられる可溶体部の斜視図、図１６はバッテリカバーをバッテリに取り付けた状態の斜視図、図１７はバッテリカバーをバッテリに取り付けた状態の平面図、図１８は図１７の正面図、図１９は図１７の側面図である。
【００３８】
この実施形態のバッテリカバー５１は、図１１に示すように、２つのバッテリ２，３を覆う大きさのカバー本体５５を有している。カバー本体５５は樹脂によって成形されており、２つのバッテリ２，３を合わせた大きさとなった矩形板状の覆い板部５５ａと、覆い板部５５ａの４辺から垂下した４つの周壁部５５ｂとによって形成されている。
【００３９】
バッテリカバー５１は、カバー本体５５に加えて、入力電線７と、図１２等で示すように、分岐回路体５６と、入力電線７と、２つの出力端子部５８と、可溶体部５９とを備えている。
【００４０】
分岐回路体５６は、カバー本体５５の覆い板部５５ａに埋設されるものである。すなわち、カバー本体５５は、分岐回路体５６を金型内にインサートした状態で樹脂を射出することにより形成される。
【００４１】
図１４に示すように、分岐回路体５６は、横長の導電性金属によって形成されており、中央及び左右両端部にボルト孔６６、６７、６８が形成されている。中央のボルト孔６６は、入力電線７に接続され、両端部のボルト孔６７、６８は可溶体部５９に接続される。これらの接続を行うため、それぞれのボルト孔６６、６７、６８には、図５に示すと同様の接続用ボルト１９が圧入されている。接続用ボルト１９は、カバー本体５５の覆い板部５５ａの底面から抜き出されており、この抜き出し部分に対して入力電線７及び可溶体部５９が接続される。
【００４２】
入力電線７と分岐回路体５６との電気的な接続は、図１２に示すように、入力電線７の端末に設けられた端子部７ａに対し、ボルト孔６６から抜き出ている接続用ボルト１９を貫通させ、図５と同様に接続用ボルト１９にナット２２を螺合させることにより行われる。
【００４３】
この実施形態において、２つの出力端子部５８は分岐回路体５６と離れた位置となるようにカバー本体５５の覆い板部５５ａに形成されている。図１２及び図１３に示すように、２つの出力端子部５８は覆い板部５５ａの底面に固定されたワッシャによって形成されている。ワッシャ状の出力端子部５８には、接続用ボルト１９が圧入されることにより、接続用ボルト１９が覆い板部５５ａから露出している。
【００４４】
図１５は、この実施形態に用いられる可溶体部５９を示す。可溶体部５９は、可溶電線６５と、可溶電線６５の両方の端末部に加締めにより取り付けられた回路体側端子６３及び負荷側端子６４とを有している。回路体側端子６３は、分岐回路体５６に接続され、負荷側端子６４は負荷側からの出力電線２１に接続される。これらの接続を行うため、回路体側端子６３及び負荷側端子６４には接続用孔６３ａ、６４ａがそれぞれ形成されている。
【００４５】
回路体側端子６３の分岐回路体５６への電気的な接続は、図１２及び図１３に示すように、分岐回路体５６の両端部のボルト孔６７、６８から抜け出ている接続用ボルト１９を回路体側端子６３の接続用孔６３ａに貫通させ、接続用ボルト１９にナット２２を螺合させることにより行われる。
【００４６】
負荷側端子６４の出力電線２１への電気的な接続は、図１２及び図１３に示すように、２つの出力端子部５８の接続用ボルト１９を出力電線２１に端末の端子部２１ａに貫通させると共に、負荷側端子６４の接続用孔６４ａを貫通させ、ナット２２を接続用ボルト１９に螺合させることにより行われる。これにより、出力電線２１の端子部２１ａと負荷側端子６４とがナット２２によって共締めされ、負荷側端子６４と出力電線２１との電気的接続が行われる。
【００４７】
以上の接続により、可溶体部５９は、分岐回路体５６を介して入力電線７に接続されると共に、出力端子部５８を介して出力電線２１に接続される。この接続状態において、バッテリ２から過電流が流れると可溶体部５９の可溶電線６５が溶断し、バッテリ２と負荷とが電気的に遮断される。これにより、負荷を過電流から保護することができる。
【００４８】
このような第２実施形態においても、第１実施形態と同様に、カバー本体５５がバッテリ２，３の上面を覆うことにより、バッテリカバー５１がバッテリ２，３を水、埃等の環境から保護することができる。又、バッテリ５２からの供給電流を分配する分岐回路体５６がカバー本体５５に埋設されているため、バッテリ５２の電流を分配供給するためのヒューズボックスやヒューズユニットをバッテリに接続する必要がなく、バッテリ２，３に取り付ける部品点数を少なくすることができる。
【００４９】
特に、この実施形態では、可溶体部５９を可溶電線６５と可溶電線６５の両端部の回路体側端子６３及び負荷側端子６４によって形成し、カバー本体５５の覆い板部５５ａの外側に設けているため、可溶体部５９の交換が容易となっている。このため、過電流によって可溶電線６５が溶断した際の交換作業を簡単に行うことができる。
【符号の説明】
【００５０】
１、５１  バッテリカバー
２、３  バッテリ
５、５５  カバー本体
６、５６  分岐回路体
７  入力電線
８、５８  出力端子部
９、５９  可溶体部
１３、６３  回路体側端子
１４、６４  負荷側端子
１５  可溶部
２３  プラス電極
６５  可溶電線
【図１】
2011258487.tif 000003
【図２】
2011258487.tif 000004
【図３】
2011258487.tif 000005
【図４】
2011258487.tif 000006
【図５】
2011258487.tif 000007
【図６】
2011258487.tif 000008
【図７】
2011258487.tif 000009
【図８】
2011258487.tif 000010
【図９】
2011258487.tif 000011
【図１０】
2011258487.tif 000012
【図１１】
2011258487.tif 000013
【図１２】
2011258487.tif 000014
【図１３】
2011258487.tif 000015
【図１４】
2011258487.tif 000016
【図１５】
2011258487.tif 000017
【図１６】
2011258487.tif 000018
【図１７】
2011258487.tif 000019
【図１８】
2011258487.tif 000020
【図１９】
2011258487.tif 000021
【図２０】
2011258487.tif 000022